(57)【要約】【課題】押釦スイッチの押釦部材のがたつきを抑える。【解決手段】スイッチを押圧する押釦部材のリテーナに押圧方向に延びるリブ２２が設けられ、ハウジング部材１２にリブ２２が摺動可能に挿入されるガイド溝２４が設けられる。リブ２２は、ガイド溝２４に対して摺動する遊嵌リブ部分２２ａ，２２ｂと、これらの側面を結ぶように、テーパ形状に形成された嵌合リブ部分２２ｃと、で構成され、ガイド溝２４もリブ２２の形状に対応して成形されている。スイッチの復帰時は、スイッチの付勢力により、リブ２２の嵌合リブ部分２２ｃは、ガイド溝２４の嵌合ガイド溝２４ｃに押し付けられ嵌合する。これにより、スイッチの復帰時において、押釦部材のがたつきを抑えることができる。【選択図】図５
2005085655.tif 000002
【特許請求の範囲】
【請求項１】
基板に設けられたスイッチを押圧する押釦部材と、
前記押釦部材が移動可能に挿入されるハウジング部材と、
前記押釦部材の外周部又は前記ハウジング部材の内周部のうちの一方に、前記押釦部材の押圧方向に延びるリブが設けられ、前記押釦部材の外周部又は前記ハウジング部材の内周部のうちの他方に前記押釦部材の押圧方向に延び前記リブが摺動可能に挿入されるガイド溝が設けられ、リブとガイド溝とにより押釦部材の押圧方向への移動をガイドする押釦スイッチにおいて、
前記リブは、ガイド溝に遊嵌し、ガイド溝に対して相対的に摺動する遊嵌リブ部分と、押圧操作時においてガイド溝から離間し、スイッチの復帰時においてガイド溝に押し付けられる、テーパ形状に形成された嵌合リブ部分と、
を有することを特徴とする押釦スイッチ。
【請求項２】
請求項１に記載の押釦スイッチにおいて、
前記遊嵌リブ部分がリブの前部及び後部に形成され、前記嵌合リブ部分がその中間部に形成されていることを特徴とする押釦スイッチ。
【発明の詳細な説明】
【技術分野】
【０００１】
本発明は押釦スイッチ、特に押釦部材の押圧方向への移動をガイドするガイド構造の改良に関する。
【背景技術】
【０００２】
従来より押釦スイッチが知られており、例えば、自動車用空調装置において、様々な空調モードを設定するために押圧スイッチが用いられている。
【０００３】
図７は、特開２００１−１３５１８６号公報（特許文献１）に開示された操作装置を示す図である。図７に示すように、操作装置は、移動操作される操作ノブ５０と、操作ノブ５０が移動可能に挿入されるスイッチケース５２とから構成され、操作ノブ５０の外周部に操作方向に延びる直線状のガイド凸部５４が設けられ、スイッチケース５２にこのガイド凸部５４が移動可能に嵌合されるガイド溝５６が設けられる。この操作装置は、ガイド凸部５４とガイド溝５６とにより、操作ノブ５０の操作方向への移動がガイドされ、図示しないスイッチが押圧される。
【０００４】
この特許文献１において、ガイド凸部５４は、後部側に幅寸法Ｄ１の第１の直線状凸部５４ａと、前部側に幅寸法Ｄ１より幅広の幅寸法Ｄ２の第２の直線状凸部５４ｂと、それらの側面を結ぶように斜面により形成された中間凸部５４ｃと、から構成されている。また、ガイド溝５６は、ガイド凸部５４の形状に対応して、第１の直線状溝部５６ａ、第２の直線状溝部５６ｂ、中間溝部５６ｃの形状を有して構成されている。
【０００５】
この特許文献１において、ガイド構造が上述したような形状をしているのは以下の理由による。通常、ガイド凸部５４とガイド溝５６との間には、操作ノブ５０の摺動抵抗を少なくするために若干の隙間が設けられる。しかし、操作ノブ５０及びスイッチケース５２が幅方向に大きくなると、操作時に操作ノブ５０のがたつきが発生しやすく、これを防止するために、操作方向への大きさを大きくし、がたつき時の支点と作用点の距離を長くとることが行われている。ここで、ガイド凸部５４及びガイド溝５６がある程度の長さ以上になると、金型成形するときに抜き勾配が必要になり、ガイド凸部５４及びガイド溝５６の幅が一端部の幅に対して他端部の幅寸法が小さくなってしまう。これにより、操作方向のがたつきが大きくなってしまうという問題がある。そこで、この特許文献１の操作装置は、このような課題を解決するためになされ、ガイド凸部５４を成形時において金型に抜き勾配を取る必要がない程度の長さの第１の直線状凸部５４ａと第２の直線状凸部５４ｂに設定し、操作ノブ５０のがたつきの発生を防止する。
【０００６】
【特許文献１】特開２００１−１３５１８６号公報
【発明の開示】
【発明が解決しようとする課題】
【０００７】
しかしながら、特許文献１では、がたつきの発生を防止するために、基本的にガイド凸部５４の操作方向への長さを大きくしなければならない。従って、がたつきを抑えつつ、操作装置自体を小型化することができないという問題がある。
【０００８】
また、直線状凸部５４ａ、５４ｂには、摺動抵抗を少なくするために隙間があるので、その分の隙間のがたつきの発生は抑えることができない。更に、この操作装置の中間凸部５４ｃとこれに対応する中間溝部５６ｃ間は、操作時において、操作ノブ５０が確実にスイッチを押圧できるように隙間が設けられると考えられる。従って、押し込み時に操作ノブ５０のがたつきを抑えることはできない。また、、復帰時において、中間凸部５４ｃと中間溝部５６ｃは離れてしまうので、中間凸部５４ｃ及び中間溝部５６ｃががたつきを抑える様に作用しない。
【０００９】
そこで、本発明は、上記課題を解決するためになされたもので、効果的にがたつきを抑えるガイド機構を有する押釦スイッチを提供することを目的とする。
【課題を解決するための手段】
【００１０】
本発明の押釦スイッチは、基板に設けられたスイッチを押圧する押釦部材と、押釦部材が移動可能に挿入されるハウジング部材と、押釦部材の外周部又はハウジング部材の内周部のうちの一方に、押釦部材の押圧方向に延びるリブが設けられ、押釦部材の外周部又はハウジング部材の内周部のうちの他方に押釦部材の押圧方向に延びリブが摺動可能に挿入されるガイド溝が設けられ、リブとガイド溝とにより押釦部材の押圧方向への移動をガイドする押釦スイッチにおいて、リブは、ガイド溝に遊嵌し、ガイド溝に対して相対的に摺動する遊嵌リブ部分と、押圧操作時においてガイド溝から離間し、スイッチの復帰時においてガイド溝に押し付けられる、テーパ形状に形成された嵌合リブ部分と、を有することを特徴とする。
【００１１】
また、本発明の押釦スイッチは、遊嵌リブ部分がリブの前部及び後部に形成され、嵌合リブ部分がその中間部に形成されていることを特徴とする。
【発明の効果】
【００１２】
本発明によれば、押釦部材のがたつきを抑えることができる。特に、スイッチの復帰時において、押釦部材のがたつきを抑えることができる。
【００１３】
また、本発明によれば、押釦スイッチを小型化しつつ、押釦部材のがたつきを抑えることができる。
【発明を実施するための最良の形態】
【００１４】
以下、本発明の実施の形態（以下、実施形態という）について、図面を参照し説明する。本実施形態においては、押釦スイッチが自動車用空調装置の空調モードの切り替え用スイッチとして適用される場合について説明する。
【００１５】
図１は、実施形態の押釦スイッチの外観を示す図である。図１に示すように、押釦スイッチ１は、押釦部材１０と、押釦部材１０が移動可能に挿入されるハウジング部材１２とから構成される。本実施形態においては、ハウジング部材１２に６個の押釦部材１０が挿入され、それぞれの押釦部材１０が押圧され、種々の空調モードを設定することができる。
【００１６】
図２は、押釦スイッチの分解斜視図である。本実施形態においては、押釦部材１０は、リテーナ１４と、リテーナ１４の表側に固定される表ノブ１６と、から構成されている。押釦部材１０は、ハウジング部材１２に６個の開口部が形成され、この開口部の背面側からリテーナ１４が挿入され、表側から表ノブ１６が挿入され、リテーナ１４の両側の爪１８に表ノブ１６の爪穴２０を掛止することにより、一体部材として組み立てられる。
【００１７】
リテーナ１４の外周部に押釦部材１０の押圧方向に延びるリブ２２が設けられ、ハウジング部材１２の内周部に押釦部材１０の押圧方向に延びリブ２２が摺動可能に挿入されるガイド溝２４が設けられ、押釦部材１０の押圧操作によりリブ２２とガイド溝２４により押圧方向への移動をガイドする。本実施形態においては、リテーナ１４の外周部の両側面及び上面（又は下面）の３ヶ所にリブ２２が設けられ、ハウジング部材１２の各開口部を構成する両側面及び上面（又は下面）の３ヶ所にガイド溝２４が設けられている。また、ハウジング部材１２の後端側には、スイッチ２６が設けられた基板２８が、ねじ３０でねじ止めされる。なお、スイッチ２６には、スイッチ２６を押圧する押釦部材１０を元の状態に復帰させるバネ等が内蔵されている。図３は、図１のＡ−Ａ線断面図である。図３に示すように、リテーナ１４の内部には、リテーナ１４の内側面から突出したスイッチ２６を押す押し子３０が設けられている。
【００１８】
すなわち、表ノブ１６を押圧すると、リテーナ１４のリブ２２がガイド溝２４を摺動し、リテーナ１４の押し子３０がスイッチ２６を押圧し、オン／オフ動作が実行される。スイッチ２６の復帰時には、スイッチ２６に付与されたバネの付勢力により、押釦部材１０を元に位置に押し戻す。なお、本明細書において、スイッチの復帰時とは、スイッチ２６が元の位置に戻り、押釦部材１０の押圧動作が解除された状態を示し、スイッチ２６による動作のオン／オフ状態と連動する場合も連動しない場合も含まれる。
【００１９】
本実施形態において特徴的なことは、リブとガイド溝で構成されるガイド機構の構成である。
【００２０】
図４は、リブ２２とガイド溝２４を説明するための平面図である。図４に示すように、本実施形態のリブ２２は、ガイド溝２４に遊嵌し、ガイド溝２４に対して摺動する遊嵌リブ部分２２ａ，２２ｂと、押圧操作時においてガイド溝２４から離間し、スイッチ２６の復帰時においてガイド溝２４に押し付けられる、テーパ形状に形成された嵌合リブ部分２２ｃと、で構成されている。
【００２１】
遊嵌リブ部分２２ａ，２２ｂは、ガイド溝２４を摺動し、押釦部材１０の押圧方向への移動をガイドする機能を担う。本実施形態において、リブ２２の前部に前遊嵌リブ部分２２ａ、リブ２２の後部に後遊嵌リブ部分２２ｂが形成されている。遊嵌リブ部分２２ａ，２２ｂは、直線状のリブで構成され、前遊嵌リブ部分２２ａの幅寸法Ｄ１は、後遊嵌リブ部分２２ｂの幅寸法Ｄ２よりも小さく設定され（幅狭に形成され）、それぞれ遊嵌リブ部分２２ａ、２２ｂは、前後に亘ってほぼ均一の幅寸法で伸ばされている。嵌合リブ部分２２ｃは、この前遊嵌リブ部分２２ａと後遊嵌リブ部分２２ｂの側面を結ぶようにテーパ形状に形成されている。すなわち、嵌合リブ部分２２ｃは、押釦部材１０の押圧方向に向かって広がるテーパ形状に形成されている。嵌合リブ部分２２ｃは、スイッチ２６の復帰時の押釦部材１０のがたつきを抑える機能を担う。
【００２２】
ガイド溝２４は、リブ２２の形状に対応して、ガイド溝２４の前部に前遊嵌ガイド溝部分２４ａ，後部に後遊嵌ガイド溝部分２４ｂが形成され、この遊嵌ガイド溝部分２４ａ，２４ｂを結ぶように、嵌合リブ部分２２ｃのテーパと同じ角度テーパ形状のの嵌合ガイド溝２４ｃが成形されている。このように構成された遊嵌リブ部分２２ａ、２２ｂと遊嵌ガイド溝部分２４ａ，２４ｂの隙間には、押圧操作時の摺動抵抗を少なくするために若干の隙間が設けられるが、スイッチの復帰時においては、嵌合リブ部分２２ｃは嵌合ガイド溝部分２４ｃに押し付けられる構造になっている。すなわち、その動作を説明すると、押圧操作時において、遊嵌リブ部分２２ａ，２２ｂは、遊嵌ガイド溝２４ａ，２４ｂを摺動する。このとき、嵌合リブ部分２２ｃは、嵌合ガイド溝部分２４ｃから離間するので、押圧操作時には摺動抵抗を抑えることができる。スイッチ２６の復帰時に、嵌合リブ部分２２ｃが、スイッチ２６の付勢力により、嵌合ガイド溝部分２４ｃに押し付けられて嵌合し、押釦部材１０のがたつきを抑えることができる。
【００２３】
次に、押釦スイッチ１の動作について説明する。図５は、押釦スイッチ１の動作を説明するためのガイド構造部分の断面図であり、図５（ａ）は、スイッチ２６の復帰時の状態を示す図であり、図５（ｂ）は、押圧操作時の状態を示す図である。
【００２４】
図５（ａ）に示すように、スイッチ２６の復帰時は、スイッチ２６の付勢力により、リブ２２の嵌合リブ部分２２ｃは、ガイド溝２４の嵌合ガイド溝２４ｃに押し付けられ嵌合している。これにより、スイッチ２６の復帰時において、押釦部材１０のがたつきを抑える又は防止することができる。
【００２５】
次に、押圧操作時において、押釦部材１０の表ノブ１６が押圧されると、遊嵌リブ部分２２ａ，２２ｂは、遊嵌ガイド溝２４ａ，２４ｂを摺動する。このとき、嵌合リブ部分２２ｃは、嵌合ガイド溝部分２４ｃから離間する。本実施形態の遊嵌リブ部分２２ａ，２２ｂは、直線状に形成されているので、摺動動作時のがたつきを抑えつつ摺動移動することができる。また、押圧操作時に、嵌合リブ部分２２ｃが、嵌合ガイド溝部分２４ｃから離間するので、摺動抵抗を小さくすることができる。
【００２６】
このようにして、押釦部材１０がスイッチ２６を押し、スイッチ２６をオン／オフ動作させる。スイッチ２６が復帰すると、スイッチ２６の付勢力により、押釦部材１０が押し戻され、図５（ａ）の状態に復帰し、嵌合リブ部分２２ｃが、嵌合ガイド溝部分２４ｃに押し付けられて嵌合し、押釦部材１０のがたつきを抑えることができる。
【００２７】
図６は、他の形態を示すリブ３２の平面図である。リブの遊嵌リブ部分は、ガイド溝に遊嵌し、ガイド溝を摺動するすれば良いので、図６に示す遊嵌リブ部分３２ａ、３２ｂのように、上述した遊嵌リブ部分２２ａ，２２ｂの直線面を切り欠いた形態として、その中間にテーパ状の嵌合リブ部分３２ｃを形成しても良い。この形態においても、がたつきを抑えた押釦スイッチを提供することができる。
【００２８】
なお、遊嵌リブ部分は、リブの後部又は前部に設けてもよい。また、嵌合リブ部分のテーパ形状も、完全なテーパ形状でなくてもよく、若干湾曲させてもよい。
【００２９】
また、上記実施形態では、押釦部材（リテーナ）にリブが設けられ、ハウジング部材にガイド溝が設けられているが、押釦部材にガイド溝を設け、ハウジング部材にリブを設けても良い。この場合において、リブの嵌合リブ部分は、押圧方向に幅が狭くなるようなテーパ形状に形成される。
【００３０】
上述したように変形する場合には、本発明の趣旨の範囲内で、リブの形状に対応してガイド溝の形状も変形することは、当業者であれば明らかであろう。
【００３１】
なお、本発明の趣旨の範囲内で、リブ及びガイド溝の数、位置、大きさ等は、本実施形態に限定されず、変更可能である。
【図面の簡単な説明】
【００３２】
【図１】実施形態の押釦スイッチの外観を示す図である。
【図２】押釦スイッチの分解斜視図である。
【図３】図１のＡ−Ａ線断面図である。
【図４】リブとガイド溝を説明するための平面図である。
【図５】押釦スイッチの動作を説明するためのガイド構造部分の断面図であり、図５（ａ）は、スイッチの復帰時の状態を示す図であり、図５（ｂ）は、押圧操作時の状態を示す図である。
【図６】他の形態を示すリブの平面図である。
【図７】背景技術を示す操作装置の斜視図である。
【符号の説明】
【００３３】
１  押釦スイッチ、１０  押釦部材、１２  ハウジング部材、１４  リテーナ、１６  表ノブ、１８  爪、２０  爪穴、２２  リブ、２２ａ  前遊嵌リブ部分、２２ｂ  後遊嵌リブ部分、２２ｃ  嵌合リブ部分、２４  ガイド溝、２４ａ  前遊嵌ガイド溝部分、２４ｂ 後遊嵌ガイド溝部分、２４ｃ  嵌合ガイド溝部分、２６  スイッチ、２８  基板、３０  押し子、３２  リブ、３２ａ，３２ｂ  遊嵌リブ部分、３２ｃ  嵌合リブ部分。
【図１】
2005085655.tif 000003
【図２】
2005085655.tif 000004
【図３】
2005085655.tif 000005
【図４】
2005085655.tif 000006
【図５】
2005085655.tif 000007
【図６】
2005085655.tif 000008
【図７】
2005085655.tif 000009